(57)【要約】【課題】乾燥固化物の含水率を一定にすることのできるドラム乾燥装置を提供する。【解決手段】塗料廃液を貯蓄する塗料廃液タンク２５と、乾燥ドラム２１、２１と、乾燥ドラム２１、２１を回転させる回転装置２３と、塗料廃液タンク２５から乾燥ドラム２１、２１の塗料廃液供給口２２に塗料廃液を供給する塗料廃液供給管２７と、塗料廃液供給管２７の経路上に塗料廃液を送付する塗料廃液供給ポンプ２６とを備え、回転する加熱状態の乾燥ドラム２１、２１に塗料廃液を付着させて乾燥固化し、乾燥固化した塗料廃液の乾燥固化物を掻取刃２８、２８によって掻き取るようにしたドラム乾燥装置において、塗料廃液タンク２５に貯蓄する塗料廃液の水分量を検知する水分量検知手段１と、水分量検知手段１より出力される水分量に応じて、自動的に回転装置２３の回転数を制御する回転数制御装置２４を設けたドラム乾燥装置。【選択図】        図１
2004174355.tif 000002
【特許請求の範囲】
【請求項１】
塗料廃液を貯蓄する塗料廃液タンクと、乾燥ドラムと、乾燥ドラムを回転させる回転装置と、塗料廃液タンクから乾燥ドラムの塗料廃液供給口に塗料廃液を供給する塗料廃液供給管と、塗料廃液供給管の経路上に塗料廃液を送付する塗料廃液供給ポンプとを備え、回転する加熱状態の乾燥ドラムに塗料廃液を付着させて乾燥固化し、乾燥固化した塗料廃液の乾燥固化物を掻取刃によって掻き取るようにしたドラム乾燥装置において、塗料廃液タンクに貯蓄する塗料廃液の水分量を検知する水分量検知手段と、水分量検知手段より出力される水分量に応じて、自動的に回転装置の回転数を制御する回転数制御装置を設けたことを特徴とするドラム乾燥装置。
【請求項２】
回転数制御装置が、水分量検知手段より出力される水分量を入力する入力手段と、水分量に対応した回転数を記憶する記憶手段と、入力手段に入力された水分量に応じた回転数を記憶手段より抽出し、回転装置がその回転数となるように制御する制御手段とを有することを特徴とする請求項１記載のドラム乾燥装置。
【請求項３】
記憶手段が、水分量の低下に対応して回転速度を遅くする回転数を記憶する記憶手段であることを特徴とする請求項２記載のドラム乾燥装置。
【請求項４】
水分量検知手段が、近赤外線反射方式の非接触水分計であることを特徴とする請求項１乃至請求項３のいずれかに記載のドラム乾燥装置。
【請求項５】
塗料廃液供給管と乾燥ドラムの塗料廃液供給口との間に、乾燥ドラムの塗料廃液供給口と略同幅のオーバーフロー供給パットを設け、塗料廃液供給管から、オーバーフロー供給パットを介して、乾燥ドラムの塗料廃液供給口に塗料廃液を供給することを特徴とする請求項１乃至請求項４のいずれかに記載のドラム乾燥装置。
【請求項６】
塗料廃液が、塗料廃液供給管からオーバーフロー供給パットに供給される際、少なくともオーバーフロー供給パットの両側側面から供給されることを特徴とする請求項５記載のドラム乾燥装置。
【請求項７】
乾燥ドラムの塗料廃液供給口に供給された塗料廃液の液面を検知する液面検知手段を設け、液面が一定となるように塗料廃液供給ポンプを制御するポンプ制御装置を設けたことを特徴とする請求項１乃至請求項６の何れかに記載のドラム乾燥装置。
【請求項８】
液面検知手段が、レーザーセンサであることを特徴とする請求項７記載のドラム乾燥装置。
【発明の詳細な説明】
【０００１】
【発明の属する技術分野】
本発明は、加熱状態で回転する乾燥ドラムの表面に塗料廃液を付着させて乾燥固化させるドラム乾燥装置に関するものである。
【０００２】
【従来の技術】
従来、住宅建材等の被塗装物を塗装ブース内でスプレー塗装する場合、噴霧された塗料のすべてが被塗装物に付着するのではなく、その一部は付着せずに未塗装塗料となる。例えば、スプレーガンにより噴霧された塗料は、５０〜６０％程度が被塗装物に付着するのみで、残りの４０〜５０％程度は、空中に飛散して未塗装塗料となる。この未塗装塗料は、水シャワーにより捕集され、塗料粕として粕池に集められる。この塗料粕、すなはち塗料廃液は、樹脂、顔料、溶剤および水等からなるが、一般には、多量の水が含まれているため、廃棄処理する際、この水分を所定の含水率になるまで、乾燥除去して固化させる必要がある。
【０００３】
この塗料廃液から、水分を乾燥除去して固化させる方法としては、遠心乾燥法、加圧乾燥法、凍結乾燥法、熱風乾燥法等が知られているが、比較的効率の良い乾燥方法として、ドラム乾燥法があり、このドラム乾燥法を用いたドラム乾燥装置が提案されている（例えば、特許文献１参照）。
【０００４】
このドラム乾燥装置は、図９に示すように、装置本体１０には、乾燥ドラム２１、２１が所定のクリアランスを保った状態で回転自在に取付けられるとともに、乾燥ドラム２１、２１間の上部には、塗料廃液供給口２２が設けられる。乾燥ドラム２１、２１には、図示はしていないが、乾燥ドラム２１、２１を回転させるための回転装置が設けられており、この回転装置には、乾燥ドラムの回転数を操作する回転数操作部が設けられている。
【０００５】
塗料廃液は、一端、塗料廃液タンク２５中に貯蓄された後、この貯畜された塗料廃液は、塗料廃液ポンプ２６で、塗料廃液供給管２７中を送付され、塗料廃液供給口２２の上部に設けられた塗料廃液供給管の先端２７ａから、塗料廃液供給口２２に供給される。塗料廃液供給口２２に供給された塗料廃液は、加熱状態の乾燥ドラム２１、２１の表面に付着し、付着した塗料廃液は乾燥固化され、その後、塗料廃液の乾燥固化物を掻取刃２８、２８で、順次掻落として行くようにしている。
【０００６】
ところで、このようなドラム乾燥装置では、乾燥除去して固化させた乾燥固化物の廃棄処理等のし易さから、乾燥固化物の含水率を所定の含水率とする必要があるが、その際、作業者が乾燥固化物の含水率の状態を判断して、乾燥ドラムの回転数を手動で操作することで、乾燥固化物の含水率を所定の含水率となるように調整していた。しかしながら、乾燥固化物の含水率の状態の判断や、乾燥固化物の含水率を所定の含水率にするための乾燥ドラムの回転数の操作は、非常に微妙であり、このため、作業者の熟練度等の個人差によって、乾燥固化物の含水率は、大きく変動し、また、所定の含水率から外れてしまう場合もしばしば起こり、その結果、作業効率が悪くなるという問題があった。
【０００７】
【特許文献１】
特開昭５７−３２８９７号公報（１−５頁、図１、図２）
【０００８】
【発明が解決しようとする課題】
本発明は、上記の点に鑑みてなされたものであり、乾燥固化物の含水率を自動的に所定の含水率に調整することのできるドラム乾燥装置を提供することを目的としている。
【０００９】
【課題を解決するための手段】
本発明は、上記目的を達成するために、塗料廃液タンク中に蓄積された塗料廃液の水分量を検知して、乾燥ドラムの回転数を、検知した水分量に応じた所定の回転数に制御するようにしている。
【００１０】
請求項１に係る発明のドラム乾燥装置は、塗料廃液を貯蓄する塗料廃液タンクと、乾燥ドラムと、乾燥ドラムを回転させる回転装置と、塗料廃液タンクから乾燥ドラムの塗料廃液供給口に塗料廃液を供給する塗料廃液供給管と、塗料廃液供給管の経路上に塗料廃液を送付する塗料廃液供給ポンプとを備え、回転する加熱状態の乾燥ドラムに塗料廃液を付着させて乾燥固化し、乾燥固化した塗料廃液の乾燥固化物を掻取刃によって掻き取るようにしたドラム乾燥装置において、塗料廃液タンクに貯蓄する塗料廃液の水分量を検知する水分量検知手段と、水分量検知手段より出力される水分量に応じて、自動的に回転装置の回転数を制御する回転数制御装置を設けたことを特徴とする。
【００１１】
請求項２に係る発明のドラム乾燥装置は、請求項１記載のドラム乾燥装置において、回転数制御装置は、水分量検知手段より出力される水分量を入力する入力手段と、水分量に対応した回転数を記憶する記憶手段と、入力手段に入力された水分量に応じた回転数を記憶手段より抽出し、回転装置がその回転数となるように制御する制御手段とを有することを特徴とする。
【００１２】
請求項３に係る発明のドラム乾燥装置は、請求項２記載のドラム乾燥装置において、記憶手段が、水分量の低下に対応して回転速度を遅くする回転数を記憶する記憶手段であることを特徴とする。
【００１３】
請求項４に係る発明のドラム乾燥装置は、請求項１乃至請求項３のいずれかに記載のドラム乾燥装置において、水分量検知手段が、近赤外線反射方式の非接触水分計であることを特徴とする。
【００１４】
請求項５に係る発明のドラム乾燥装置は、請求項１乃至請求項４のいずれかに記載のドラム乾燥装置において、塗料廃液供給管と乾燥ドラムの塗料廃液供給口との間に、乾燥ドラムの塗料廃液供給口と略同幅のオーバーフロー供給パットを設け、塗料廃液供給管から、オーバーフロー供給パットを介して、乾燥ドラムの塗料廃液供給口に塗料廃液を供給することを特徴とする。
【００１５】
請求項６に係る発明のドラム乾燥装置は、請求項５に記載のドラム乾燥装置において、塗料廃液が、塗料廃液供給管からオーバーフロー供給パットに供給される際、少なくともオーバーフロー供給パットの両側側面から供給されることを特徴とする。
【００１６】
請求項７に係る発明のドラム乾燥装置は、請求項１乃至請求項６のいずれかに記載のドラム乾燥装置において、乾燥ドラムの塗料廃液供給口に供給された塗料廃液の液面を検知する液面検知手段を設け、液面が一定となるように塗料廃液供給ポンプを制御するポンプ制御装置を設けたことを特徴とする。
【００１７】
請求項８に係る発明のドラム乾燥装置は、請求項７に記載のドラム乾燥装置において、液面検知手段が、レーザーセンサであることを特徴とする。
【００１８】
【発明の実施の形態】
以下、本発明の実施形態を図面に沿って説明する。
【００１９】
図１は、本実施形態のドラム乾燥装置を示す概略断面図、図２は、そのドラム乾燥装置の装置本体１０を示す概略側面図である。
【００２０】
本実施形態では、図１及び図２に示すように、装置本体１０には、乾燥ドラム２１、２１が所定のクリアランスを保った状態で回転自在に取付けられるとともに、乾燥ドラム２１、２１間の上部には、塗料廃液供給口２２が設けられる。乾燥ドラム２１、２１には、乾燥ドラム２１、２１を回転させるための回転装置２３が設けられており、この回転装置２３には、乾燥ドラム２１、２１の回転数を制御する回転数制御装置２４が設けられている。
【００２１】
また、塗料廃液は、一端、塗料廃液タンク２５中に貯蓄され、この貯畜された塗料廃液は、塗料廃液ポンプ２６で、塗料廃液供給管２７中を送付され、塗料廃液供給口２２の上部に設けられた塗料廃液供給管の先端２７ａから、塗料廃液供給口２２に供給される。そして、塗料廃液供給口２２に供給された塗料廃液は、ドラム中に蒸気等を供給することで、所定の温度に加熱された加熱状態の乾燥ドラム２１、２１の表面に付着し、この乾燥ドラム２１、２１が回転する間に、付着した塗料廃液は乾燥固化していき、その後、この乾燥固化した塗料廃液の乾燥固化物を掻取刃２８、２８で、順次掻落としていくようにしている。
【００２２】
本実施形態では、塗料廃液タンク２５の貯蔵された塗料廃液の水分量を検知するための水分量検知手段１が設けられている。この水分量検知手段１で検知した塗料廃液タンク２５に貯蔵された塗料廃液の水分量を、乾燥ドラム２１、２１の回転数制御装置２４に送り、この回転数制御装置２４で、塗料廃液の水分量に応じた乾燥ドラム２１、２１の回転数を判断して、乾燥ドラムの回転装置２３を制御するようにしている。
【００２３】
上記回転数制御装置２４としては、図３に示す様に、水分量検知手段１より出力される水分量を入力する入力手段２４ａと、水分量に対応した回転数を記憶する記憶手段２４ｂと、入力手段２４ａに入力された水分量に応じた回転数を記憶手段２４ｂより抽出し、回転装置２３がその回転数となるように制御する制御手段２４ｃを有するものを用いることができる。記憶手段２４ｂとしては、予め、ドラム乾燥装置の塗料廃液の水分量と乾燥固化物の含水率との相関関係を乾燥ドラム２１、２１の回転数をパラメーターとして測定しておき、そのデーターを記憶させた記憶手段２４ｂを用いるのが簡便であるが、水分量の低下に対応して回転速度を遅くする回転数を記憶させた記憶手段２４ｂを用いるのが、より簡便であるので好ましい。
【００２４】
塗料廃液タンク２５中に蓄積された塗料廃液の水分量と塗料廃液の乾燥固化物の含水率との間に、乾燥ドラム２１、２１の回転数をパラメーターとして、一定の相関関係を有する理由については、以下のように説明することができる。すなわち、塗料廃液の水分量が低下すると、塗料廃液の粘度が高くなるため、乾燥ドラム２１、２１に付着する塗料廃液の量が多くなり、付着する塗料廃液の厚さが厚くなる。付着した塗料廃液の厚さが厚くなると、乾燥ドラム２１、２１の単位面積当りの廃液処理量が増大するので、その結果、十分な乾燥ができずに、乾燥固化物の含水率が高くなる。ここで、乾燥ドラム２１、２１の回転数を低下させて、回転速度を遅くしてやると、付着した塗料廃液の厚さが厚くなっても、十分な乾燥が可能となり、乾燥固化物の含水率を所定の含水率にすることが可能となる。一方、塗料廃液の水分量が高くなると、乾燥ドラム２１、２１の回転数を高くして、回転速度を速くすることで、上記と同様の原理で、所定の含水率の乾燥固化物を得ることが可能となる。
【００２５】
具体的な一例を示すと、塗料廃液の水分量と乾燥固化物の含水率との間には、乾燥ドラム２１、２１の回転数をパラメーターとして、図４に示すような関係が見出される。なお、ここで、乾燥ドラム２１、２１としては、直径が１０００ｍｍ、長さ２０００ｍｍのものを用いている。この乾燥ドラム２１、２１の温度は、ドラム内部に蒸気を供給することで、塗料廃液を供給していな場合は、１４５〜１５０℃、塗料廃液を供給している場合は、１００〜１２０℃となるように制御し、乾燥ドラムの回転数は、０．５〜１．５ｒｐｍに制御している。また、塗料廃液としては、主に瓦塗装に用いる塗料の塗料廃液であって、アクリルエマルジョン樹脂を主成分とし、ウレタン系増粘剤、シリコン系消包剤、着色顔料として、カーボン、四三酸化鉄、酸化チタン等を含む、ＰＨ７〜９、比重が１．０〜１．２ｇ／ｍｌのものを用いている。この例では、上記塗料廃液を用いたが、本実施形態で用いることのできる塗料廃液は、これに限定されず、主に押出外装材に用いる塗料の塗料廃液であって、シリコーン樹脂を主成分とし、着色顔料として、酸化チタン、ピグメントブラック、ピグメントブラウン等を含む塗料廃液等も同様に用いることができる。
【００２６】
図４は、例えば、乾燥固化物の含水率を３％にしたい場合、塗料廃液タンク中の塗料廃液の水分量が８０％であれば、乾燥ドラムの回転数を１．５ｒｐｍとし、塗料廃液の水分量が７５％であれば、乾燥ドラムの回転数を１．０ｒｐｍとし、塗料廃液の水分量が７０％であれば、乾燥ドラムの回転数を０．５ｒｐｍとすれば良いことを示している。
【００２７】
本実施形態では、予め、ドラム乾燥装置の塗料廃液の水分量と乾燥固化物の含水率との相関関係を乾燥ドラム２１、２１の回転数をパラメーターとして測定しておき、そのデーターを乾燥ドラム２１、２１の回転数制御装置２４の記憶手段２４ｂに蓄積しておく。そして、図１〜３に示すように、水分量検知手段１で塗料廃液タンク２５に蓄積した塗料廃液の水分量を検知し、その検知した塗料廃液の水分量を回転数制御装置２４の入力手段２４ａへ送り、回転数制御装置２４の制御手段２４ｃでは、送られた塗料廃液の水分量に応じた回転数を記憶手段２４ｂより抽出し、回転装置２３が、その回転数で乾燥ドラム２１、２１を回転させるように制御する。これにより、乾燥固化物の含水率は、塗料廃液の水分量が変動しても、自動的に、乾燥ドラム２１、２１の回転数を制御して、作業者の判断を介することなく、所定の含水率にすることが可能となる。
【００２８】
上記水分検知手段１としては、塗料廃液タンク２５中に貯蓄した塗料廃液の水分量を検知できる手段であれば、使用することができ、たとえば、塗料廃液に接触させて検知する電量分析式の検知器や誘電率式の検知器を用いることもできる。しかし、塗料廃液と長期間接触した状態で使用すると、検知器表面に塗料が付着する傾向のあるので、非接触で検知でる非接触検知器を用いるのが好ましい。特に、近赤外を用いた近赤外反射方式の非接触水分計を用いるのが、安価で、精度も良いので好ましい。
【００２９】
また、塗料廃液供給管２７と乾燥ドラム２１、２１の塗料廃液供給口２２との間には、図５及び図６に示すような乾燥ドラム２１、２１の塗料廃液供給口２２と略同幅のオーバーフロー供給パット２を設けることもできる。この場合には、塗料廃液は、オーバーフロー供給パット２の横長のフロー部２ａから塗料廃液供給口２２の全幅に供給されるので、点で供給する塗料廃液供給管の先端２７ａから直接供給する場合に比べて、全体的により均一に塗料廃液を塗料廃液供給口２２に供給できるので、好ましい。
【００３０】
さらに、塗料廃液が、塗料廃液供給管２７からオーバーフロー供給パット２に供給される際、図７に示す様に、少なくともオーバーフロー供給パット２の両側側面２ｂ、２ｂより供給することが好ましい。塗料廃液が、両側側面２ｂ、２ｂの２ケ所からオーバーフロー供給パット２に供給されることにより、上部の１ケ所から供給される場合に比べ、より全体的に、より均一に供給される。
【００３１】
また、本実施形態では、図８に示す様に、乾燥ドラム２１、２１の塗料廃液供給口２２に供給された塗料廃液の液面２２ａを検知する液面検知手段３を設け、液面一定となるように塗料廃液供給ポンプ２６を制御するポンプ制御装置４を設けることもできる。液面検知手段３で検知した、塗料廃液供給口２２の塗料廃液の液面２２ａが、一定になるように、塗料廃液供給ポンプ２６を制御して動かすことができるので、塗料廃液供給の自動化が可能となる。
【００３２】
上記液面検知手段３としては、塗料廃液供給口２２に供給された塗料廃液の液面２２ａを検知することのできる手段、例えば、フロート式の液面センサを用いることができる。しかし、フロート式の液面センサは、塗料廃液と長期間接触した状態で使用することなり、センサ表面に塗料が付着する傾向のあるので、非接触で検知でる非接触の検知手段を用いるのが好ましい。特に、レーザーを用いたレーザーセンサを用いるのが、精度が高いのでより好ましい。
【００３３】
【発明の効果】
請求項１に係るドラム式乾燥装置は、塗料廃液を貯蓄する塗料廃液タンクと、乾燥ドラムと、乾燥ドラムを回転させる回転装置と、塗料廃液タンクから乾燥ドラムの塗料廃液供給口に塗料廃液を供給する塗料廃液供給管と、塗料廃液供給管の経路上に塗料廃液を送付する塗料廃液供給ポンプとを備え、回転する加熱状態の乾燥ドラムに塗料廃液を付着させて乾燥固化し、乾燥固化した塗料廃液の乾燥固化物を掻取刃によって掻き取るようにしたドラム乾燥装置において、塗料廃液タンクに貯蓄する塗料廃液の水分量を検知する水分量検知手段と、水分量検知手段より出力される水分量に応じて、自動的に回転装置の回転数を制御する回転数制御装置を設けているので、自動的に乾燥固化物の水分量を一定にすることができる。
【００３４】
請求項２に係る発明のドラム乾燥装置は、請求項１記載のドラム乾燥装置において、回転数制御装置が、水分量検知手段より出力される水分量を入力する入力手段と、水分量に対応した回転数を記憶する記憶手段と、入力手段に入力された水分量に応じた回転数を記憶手段より抽出し、回転装置がその回転数となるように制御する制御手段とを有しているので、簡便に、自動的に乾燥固化物の水分量を一定にすることができる。
【００３５】
請求項３に係る発明のドラム乾燥装置は、請求項２記載のドラム乾燥装置において、記憶手段が、水分量の低下に対応した回転速度を遅くする回転数を記憶する記憶手段であるので、より簡便に、自動的に乾燥固化物の水分量を一定にすることができる。
【００３６】
請求項４に係る発明のドラム乾燥装置は、請求項１乃至請求項３のいずれかに記載のドラム式乾燥装置において、水分量検知手段が、近赤外線反射方式の非接触水分計であるので、塗料廃液タンクに貯蔵する塗料廃液の水分量を容易にかつ安定に検知することができる。
【００３７】
請求項５に係る発明のドラム式乾燥装置は、請求項１乃至請求項５の何れかに記載のドラム式乾燥装置において、塗料廃液供給管と乾燥ドラムの塗料廃液供給口との間に、乾燥ドラムの塗料廃液供給口と略同幅のオーバーフロー供給パットを設け、塗料廃液供給管から、オーバーフロー供給パットを介して、乾燥ドラムの塗料廃液供給口に塗料廃液を供給するので、より全体的で、より均一の塗料廃液の供給ができる。
【００３８】
請求項６に係る発明のドラム乾燥装置は、請求項５記載のドラム乾燥装置において、塗料廃液が、塗料廃液供給管からオーバーフロー供給パットに供給される際、少なくともオーバーフロー供給パットの両側側面から供給されるので、オーバーフロー供給パットへの、より全体的で、均一な塗料廃液の供給できる。
【００３９】
請求項７に係る発明のドラム乾燥装置は、請求項１乃至請求項６の何れかに記載のドラム乾燥装置は、乾燥ドラムの塗料廃液供給口に供給された塗料廃液の液面を検知する液面検知手段を設け、液面が一定となるように塗料廃液供給ポンプを制御するポンプ制御装置を設けているので、塗料廃液の供給を自動化することができる。
【００４０】
請求項８に係る発明のドラム乾燥装置は、請求項７記載のドラム乾燥装置において、液面検知手段が、レーザーセンサであるので、乾燥ドラムの精度の高い塗料廃液の液面検知をすることができる。
【図面の簡単な説明】
【図１】本発明の実施形態に係るドラム乾燥装置の概略断面図である。
【図２】本発明の実施形態に係るドラム乾燥装置の装置本体の概略側面図である。
【図３】本発明の実施形態に係るドラム乾燥装置の回転制御装置を示したブロック図である。
【図４】本発明の実施形態に係るドラム乾燥装置の、塗料廃液に水分量と塗料廃液の乾燥固化物の含水率との相関の一例を示したグラフである。
【図５】本発明の実施形態に係るドラム乾燥装置の、他の例を示した概略断面図である。
【図６】本発明の実施形態に係るドラム乾燥装置の、他の例の装置本体の概略側面図である。
【図７】本発明の実施形態に係るドラム乾燥装置の、さらに他の例の装置本体の概略側面図である。
【図８】本発明の実施形態に係るドラム乾燥装置の、さらに他の例の概略断面図である。
【図９】従来のドラム乾燥装置の概略断面図である。
【符号の説明】
１      水分量検知手段
２      オーバーフロー供給パット
２ｂ    オーバーフロー供給パットの両側側面
３      液面検知手段
４      ポンプ制御装置
２１    乾燥ドラム
２２    塗料廃液供給口
２３    回転装置
２４    回転数制御装置
２４ａ  入力手段
２４ｂ  記憶手段
２４ｃ  制御手段
２５    塗料廃液タンク
２６    塗料廃液供給ポンプ
２７    塗料廃液供給管
２８    掻取刃
【図１】
2004174355.tif 000003
【図２】
2004174355.tif 000004
【図３】
2004174355.tif 000005
【図４】
2004174355.tif 000006
【図５】
2004174355.tif 000007
【図６】
2004174355.tif 000008
【図７】
2004174355.tif 000009
【図８】
2004174355.tif 000010
【図９】
2004174355.tif 000011